(57)【要約】  本発明は、首部（２）に封止部材（４）が装着されるボトルに関し、ボトルの首部（２）の部分に装着されるキャップ部材（８）を備え、このキャップ部材（８）が首部（２）と対象物を格納する容積部（１１）とを区画形成していることを特徴とするものである。【選択図】    図１
2009539709.tif 000002
【特許請求の範囲】
【請求項１】
封止部材（４）が装着される首部（２）を備えたボトルであって、
上記ボトルが、該ボトルの首部（３）に嵌め込まれて、上記首部（３）と、対象物を収容するための容積部とを区画するキャップ部材（８）を有し、
上記キャップ部材（８）と上記首部（３）とによって区画される上記容積部の内部に、互いに接合される２つの殻部（１３）によって形成されるポッド（１２）を備えていることを特徴とするボトル。
【請求項２】
請求項１に記載のボトルであって、
いたずら防止のために、上記ボトルの外壁の少なくとも一部が外装フィルムによって覆われていることを特徴とするボトル。
【請求項３】
請求項１又は請求項２に記載のボトルであって、
上記ボトルが、上記首部（３）に嵌め込まれる裁頭円錐形状をした環状の裾状部材（５）を備えていることを特徴とするボトル。
【請求項４】
請求項３に記載のボトルであって、
上記裾状部材（５）が、上記首部（３）にスナップ止め又は螺合によって嵌め込まれていることを特徴とするボトル。
【請求項５】
請求項１〜請求項４のいずれか１つに記載のボトルであって、
上記キャップ部材（８）が、上記首部（３）にスナップ止め又は螺合によって嵌め込まれていることを特徴とするボトル。
【請求項６】
請求項１〜請求項４のいずれか１つに記載のボトルであって、
上記キャップ部材（８）が、上記裾状部材（５）にスナップ止め又は螺合によって嵌め込まれていることを特徴とするボトル。
【発明の詳細な説明】
【技術分野】
【０００１】
本発明は、首部に封止部材が装着されるボトルに関する。
【背景技術】
【０００２】
従来、この種のボトルには、製品を良好な状態に保持するためやボトルを密封するために、コルクや合成材料、金属等でできた、首部に装着される封止部材を有するものがある。
【発明の開示】
【発明が解決しようとする課題】
【０００３】
販売促進活動の一環として、製造者は、しばしばディスカウントクーポンや景品を封止部材自体やプラスチックのカバー内に挿入する場合がある。
【０００４】
しかしながら、これら器具は、ボトルのサイズとは無関係な大きさをもつ、景品のような対象物を収容するカプセルや容器、袋等を含むことはできない。
【０００５】
その上、この種の器具は量産するのが難しいという問題がある。
【課題を解決するための手段】
【０００６】
本発明は、首部に封止部材が装着されるボトルに関し、以下の点に特徴がある。すなわち、上記ボトルはその首部に嵌め込まれるキャップ部材を備え、上記キャップ部材は、首部と、対象物を収容する容積部とを区画している。更に、キャップ部材と首部とによって区画される容積部の中には、互いに接合される２つの殻状部によって形成されるポッドが備えられている。
【０００７】
上記キャップ部材内に置かれる対象物としては、例えば、玩具やフィギアを挙げることができる。
【０００８】
キャップ部材と首部とによって区画される容積部内に収容されるポッドの内部にこのような対象物が挿入される。
【０００９】
本発明の１つの特徴によれば、ボトルの外壁の少なくとも一部は、いたずら防止のために、外装フィルムによって覆われている。
【００１０】
このフィルムによって、消費者は、ボトルの首部からキャップ部材が決して取り外されていないことを確信することができ、その結果として、対象物をまだ上述した容積部内で見い出すことができること、及び／又は、ボトルの封止部材が首部から決して外されていないことを確信できるようになっている。
【００１１】
上記ボトルは、首部に嵌め込まれる裁頭円錐形状をした環状の裾状部材を備えているのが好ましい。
【００１２】
その裾状部材は、特にスナップ止め又は螺合によって首部に嵌め込まていると効果的である。
【００１３】
第１実施形態によれば、キャップ部材は特にスナップ止め又は螺合によって首部に嵌め込まれている。
【００１４】
第２実施形態によれば、キャップ部材は特にスナップ止め又は螺合によって裾状部材に嵌め込まれている。
【００１５】
いずれにしても、本発明は、非限定的な例示として、ボトルの２つの実施形態を表している添付の概略図に関する以下の記載から明確に理解できるであろう。
【発明を実施するための最良の形態】
【００１６】
図１は、雌ねじが形成された首部２を有する球体状の貯蔵部１を備えたボトルを示している。
【００１７】
首部２は、その外表面の周りに延びる鍔部３を有している。
【００１８】
ボトルの軸Ａは、貯蔵部１の対称な軸によって規定されており、同軸は首部２の中心を通っている。
【００１９】
首部２を密閉するために、ねじ山が形成された封止部材４が首部２にねじ込まれている。
【００２０】
環のような裁頭円錐形をした裾状部材５が、スナップ止めによって首部２に嵌め込まれている。より詳しくは、裾状部材５における直径が小さくなっている部分は軸周りに形成された環状部６を有しており、その環状部６は首部２の鍔部３の直径とほぼ同じ内径の肩部を形成している。そして、鍔部３が環状部６に挿入され、肩部に保持されている。
【００２１】
補完的な凹凸機構によって形成されているスナップ止め手段は、裾状部材５を首部２に嵌め込むために備えられている。換言すれば、裾状部材５は首部２に力を加えて嵌め込むことができるようになっている。
【００２２】
裾状部材５における直径が大きくなっている部分は、ボトルの軸Ａに沿って首部２の反対側である貯蔵部１の下側に向いている。
【００２３】
裁頭円錐形をした裾状部材５はまた、径が小さい方の端部に、環状の外側肩部７を有している。
【００２４】
略円筒形状をした中空のキャップ部材８は、裾状部材５の外側肩部７の部分の直径とほぼ同じ内径を有する開口端９を有し、キャップ部材８のその他方の端部１０は塞がれている。
【００２５】
キャップ部材８は、例えば合成材料やガラス、木材、樹脂、厚紙で作ることができる。
【００２６】
キャップ部材８の開口端９は、例えば補完的な凹凸機構を用いることにより、裾状部材５の外側肩部７にスナップ止めされており、そうすることで、キャップ部材８の軸はボトルの軸Ａと一致する。
【００２７】
このように裾状部材５に嵌め込まれるキャップ部材８は、首部２と、略円筒状のポッド１２が位置する容積部１１とを区画形成している。ポッド１２は、対象物（図示せず）を収容するように設計されており、互いに接合される２つの殻状部１３で構成されている。
【００２８】
ボトルは、フィルム（図示せず）によってその全ての周面が覆われている。したがって、最初に使用する際には、消費者は、フィルムを引き裂いてキャップ部材９を取り外し、ポッド１２を取り出して、対象物を曝け出すために２つの殻状部１３を分解する。
【００２９】
消費者は、その後もボトルにキャップ部材８を戻すことができる。キャップ部材８はまた、計量手段やグラスとしても利用できる。
【００３０】
図２は、図１と同じ部材については同じ符号が付されている本発明の第２実施形態を示している。
【００３１】
より明確に図示するために、そこには貯蔵部１や首部３、ポッド１２の概要のみを表してある。
【００３２】
この実施形態では、ボトルは裁頭円錐形をした裾状部材５を有しておらず、キャップ部材８はスナップ止めにより首部３に直接装着されている。
【００３３】
このタイプの嵌め合いを行うために、キャップ部材８は、その開口端から閉塞端へ向かって位置ずれした凸部１４をその内面の周りに有している。したがって、キャップ部材８が首部３に対して装着位置にあるときには、凸部１４は鍔部３と係合し、スナップ止めとして機能している。
【００３４】
図示しない第３の実施形態によれば、キャップ部材は２つの開後端を有し、対象物を収容する容積部は首部やキャップ部材、ボトルを覆うフィルムによって区画されている。
【００３５】
図示しない他の実施形態によれば、砂糖菓子や棒付き飴のような食品がカプセルに収納されている。
【００３６】
本発明が、例として上述されているこの機構に関するこれら実施形態に限定されず、他のあらゆる変形例も含んでいることは言うまでもない。したがって、他のものの中では、フィルムはボトルの一部だけを覆うことができるし、ボトルはポッドを含まないようにもでき、対象物をキャップ部材によって区画形成された容積部に直接収容することもできる。
【図面の簡単な説明】
【００３７】
【図１】本発明に係る第１実施形態のボトルにおける軸方向に沿った部分断面を表した図である。
【図２】本発明に係る第２実施形態のボトルにおける軸方向に沿った拡大断面を表した図である。
【図１】
2009539709.tif 000003
【図２】
2009539709.tif 000004
【国際調査報告】
2009539709.tif 000005
2009539709.tif 000006
2009539709.tif 000007
2009539709.tif 000008
2009539709.tif 000009
2009539709.tif 000010